(57)【要約】【課題】被疑者に関する情報提供を促進しつつ、情報提供の増加に伴う処理の煩雑化を回避する。【解決手段】情報提供処理システムは、被疑者をカメラで撮影し、その撮影画像データを情報提供処理装置２０に送信するカメラ付き携帯端末１０と、カメラ付き携帯端末１０が送信した撮影画像データを受信し、この撮影画像データを、過去に蓄積した撮影画像データと照合し、その照合結果に応じて、予め決められた処理を行う情報提供処理装置２０と、カメラ付き携帯端末１０と情報提供処理装置２０を接続する通信回線３０とを備えて構成される。【選択図】　　　図４
2004078769.tif 000002
【特許請求の範囲】
【請求項１】
通信回線を介して、情報提供処理を行う情報提供処理システムであって、
被疑者をカメラで撮影し、その撮影画像データを情報提供処理装置に送信するカメラ付き携帯端末と、
前記カメラ付き携帯端末が送信した撮影画像データを受信し、この撮影画像データを、過去に蓄積した撮影画像データと照合し、その照合結果に応じて、予め決められた処理を行う前記情報提供処理装置と、
前記カメラ付き携帯端末と前記情報提供処理装置を接続する前記通信回線とを備える
ことを特徴とする情報提供処理システム。
【請求項２】
前記情報提供処理装置が、前記カメラ付き携帯端末から撮影画像データを受信するとき、前記カメラ付き携帯端末の位置情報を取得することを特徴とする請求項１記載の情報提供処理システム。
【請求項３】
前記情報提供処理装置が、前記カメラ付き携帯端末から受信した撮影画像データを、過去に蓄積した撮影画像データと照合する際に、前記撮影画像データ同士の一致度を算出することを特徴とする請求項１又は２記載の情報提供処理システム。
【請求項４】
前記情報提供処理装置が、前記カメラ付き携帯端末から受信した撮影画像データと、過去に蓄積した撮影画像データとの一致度が高いと判定したとき、前記カメラ付き携帯端末から受信した撮影画像データを保存し、前記一致度が低いと判定したとき、前記カメラ付き携帯端末から受信した撮影画像データを破棄することを特徴とする請求項１〜３のいずれかに記載の情報提供処理システム。
【請求項５】
前記情報提供処理装置が、前記一致度のきわめて低い撮影画像データを、同じカメラ付き携帯端末から所定回数受信したとき、それ以降、このカメラ付き携帯端末による情報提供を拒否することを特徴とする請求項１〜４のいずれかに記載の情報提供処理システム。
【請求項６】
前記情報提供処理装置が、前記カメラ付き携帯端末から受信した撮影画像データと、過去に蓄積した撮影画像データとの一致度を算出した後、この一致度が含まれるメッセージを前記カメラ付き携帯端末に送信することを特徴とする請求項１〜５のいずれかに記載の情報提供処理システム。
【請求項７】
前記情報提供処理装置が、前記カメラ付き携帯端末から受信した撮影画像データにもとづいて被疑者が逮捕されたとき、報奨金支払通知が含まれるメッセージを前記カメラ付き携帯端末に送信することを特徴とする請求項１〜６のいずれかに記載の情報提供処理システム。
【請求項８】
通信回線を介して、情報提供処理を行う情報提供処理装置であって、
カメラ付き携帯端末が送信した撮影画像データを受信するとともに、
前記カメラ付き携帯端末の位置情報を取得し、
さらに、前記撮影画像データを、過去に蓄積した撮影画像データと照合し、
その照合結果に応じて、予め決められた処理を行う
ことを特徴とする情報提供処理装置。
【請求項９】
通信回線を介して、情報提供処理を行う情報提供処理方法であって、
カメラ付き携帯端末が、被疑者をカメラで撮影し、その撮影画像データと、前記カメラ付き携帯端末の位置情報を情報提供処理装置に送信し、
前記情報提供処理装置が、前記カメラ付き携帯端末が送信した撮影画像データを受信し、この撮影画像データを、過去に蓄積した撮影画像データと照合し、その照合結果に応じて、予め決められた処理を行う
ことを特徴とする情報提供処理方法。
【発明の詳細な説明】
【０００１】
【発明の属する技術分野】
本発明は、通信回線を介して、情報提供処理を行う情報提供処理システム、情報提供処理装置及び情報提供処理方法に関する。
【０００２】
【従来の技術】
警察では、被疑者の早期逮捕や事件の早期解決を目的とし、被疑者や事件に関する情報の提供を呼びかけている。
例えば、指名手配された被疑者については、被疑者の顔写真や特徴を示すポスターを作成し、これを警察署、交番、駅などに掲示して情報提供を呼びかけている。
また、未解決の事件については、その事件現場に、事件の内容や発生日時を示す看板を設置し、目撃情報の提供を呼びかけている。
【０００３】
従来の情報提供は、情報提供者が警察に電話し、音声により行われている。情報提供を受け付ける警察側では、情報提供者からの電話を着信すると、まず、情報提供者の氏名や住所を聞き、その後に、被疑者や事件に関する情報を情報提供者から聴取している。
しかしながら、従来の情報提供方法では、上記のように情報提供者の身元確認が行われることから、情報提供者が身元確認を煩わしく思い、情報提供を躊躇することがある。
【０００４】
そこで、近年では、電子メール（ＰＯＰメール、ＷＥＢメールなど）による情報提供が提案されており、一部の警察署では、既に情報提供用のメールボックスを設置している。
この情報提供方法によれば、電話による身元確認の煩わしさが解消されるので、情報提供を促進することができ、また、警察側でも、情報提供の受け付け処理を自動化できるという利点がある。
【０００５】
【発明が解決しようとする課題】
しかしながら、電子メールによる情報提供を受け付けると、情報提供の増加が期待できるものの、電子メールの匿名性により、いたずらによるノイズ的な情報提供も増える可能性がある。
その結果、警察側では、提供された情報の選別処理に手間がかかるばかりでなく、ノイズ情報のなかに有力情報が埋もれ、これを見逃す可能性がある。
【０００６】
本発明は、上記の事情にかんがみなされたものであり、被疑者に関する情報提供を促進しつつ、情報提供の増加に伴う処理の煩雑化を回避することにより、有力情報の入手を容易にし、被疑者の早期逮捕に貢献することができる情報提供処理システム、情報提供処理装置及び情報提供処理方法の提供を目的とする。
【０００７】
【課題を解決するための手段】
上記目的を達成するため、本発明の情報提供処理システムは、通信回線を介して、情報提供処理を行う情報提供処理システムであって、被疑者をカメラで撮影し、その撮影画像データを情報提供処理装置に送信するカメラ付き携帯端末と、前記カメラ付き携帯端末が送信した撮影画像データを受信し、この撮影画像データを、過去に蓄積した撮影画像データと照合し、その照合結果に応じて、予め決められた処理を行う前記情報提供処理装置と、前記カメラ付き携帯端末と前記情報提供処理装置を接続する前記通信回線とを備える構成としてある。
【０００８】
情報提供処理システムをこのような構成にすれば、情報提供者は、カメラ付き携帯電話で被疑者を撮影し、その撮影画像データを電子メールに添付して送信する程度の簡単な手続により、被疑者に関する情報を警察などに提供することが可能になる。
一方、情報提供を受け付ける側では、情報提供者が送信した被疑者の撮影画像データを自動的に受信できるとともに、過去に蓄積した撮影画像データとの照合結果に応じて、撮影画像データを選別するなど、予め決められた処理を自動的に実行することが可能になる。
【０００９】
これにより、被疑者に関する情報提供を促進しつつ、情報提供の増加に伴う処理の煩雑化を回避することが可能になり、その結果、有力情報の入手を容易にし、被疑者の早期逮捕に貢献することができる。
しかも、被疑者の撮影画像データが情報提供されるので、音声や文字による情報提供に比べ、情報の真偽判定が容易になるとともに、被疑者の現在の髪型、服装などを認識した上で捜査を行うことができる。
【００１０】
また、本発明の情報提供処理システムは、前記情報提供処理装置が、前記カメラ付き携帯端末から撮影画像データを受信するとき、前記カメラ付き携帯端末の位置情報を取得する構成としてある。
【００１１】
情報提供処理システムをこのような構成にすれば、被疑者の撮影画像データ及び位置情報をもとに、被疑者逮捕に向けた捜査を直ちに開始することができる。
また、情報提供に用いる携帯端末がＧＰＳ付き携帯端末やＰＨＳ携帯端末である場合は、携帯端末の位置情報を自動的に取得することも可能であり、この場合には、情報提供者による位置情報の入力を不要にし、情報提供の手続を更に簡略化することができる。
【００１２】
また、本発明の情報提供処理システムは、前記情報提供処理装置が、前記カメラ付き携帯端末から受信した撮影画像データを、過去に蓄積した撮影画像データと照合する際に、前記撮影画像データ同士の一致度を算出する構成としてある。
情報提供処理システムをこのような構成にすれば、情報提供された撮影画像データの有効性を数値化できるため、撮影画像データの真偽判定や選別処理が容易になる。
【００１３】
また、本発明の情報提供処理システムは、前記情報提供処理装置が、前記カメラ付き携帯端末から受信した撮影画像データと、過去に蓄積した撮影画像データとの一致度が高いと判定したとき、前記カメラ付き携帯端末から受信した撮影画像データを保存する一方、前記一致度が低いと判定したとき、前記カメラ付き携帯端末から受信した撮影画像データを破棄する構成としてある。
情報提供処理システムをこのような構成にすれば、いたずらによるノイズ的な情報や価値の低い情報を自動的に破棄することが可能になる。
これにより、情報提供処理装置の記憶容量を効率的に利用できるばかりでなく、有力な情報がノイズ情報に埋もれてしまう不都合も回避することができる。
【００１４】
また、本発明の情報提供処理システムは、前記情報提供処理装置が、前記一致度のきわめて低い撮影画像データを、同じカメラ付き携帯端末から所定回数受信したとき、それ以降、このカメラ付き携帯端末による情報提供を拒否する構成としてある。
情報提供処理システムをこのような構成にすれば、いたずらによるノイズ的な情報提供を排除し、有力な情報提供を優先的に処理することができる。
【００１５】
また、本発明の情報提供処理システムは、前記情報提供処理装置が、前記カメラ付き携帯端末から受信した撮影画像データと、過去に蓄積した撮影画像データとの一致度を算出した後、この一致度が含まれるメッセージを前記カメラ付き携帯端末に送信する構成としてある。
情報提供処理システムをこのような構成にすれば、情報提供者が、通知された一致度にもとづいて、捜査への貢献度を知ることができるばかりでなく、通知された一致度に応じて、適切な行動をとることができる。
【００１６】
また、本発明の情報提供処理システムは、前記情報提供処理装置が、前記カメラ付き携帯端末から受信した撮影画像データにもとづいて被疑者が逮捕されたとき、報奨金支払通知が含まれるメッセージを前記カメラ付き携帯端末に送信する構成としてある。
情報提供処理システムをこのような構成にすれば、有力な情報提供に対して報奨金が支払われる旨の告知を予め行うことにより、情報提供を更に促進することができる。
また、上記メッセージの送信先は、撮影画像データを受信した際の送信者アドレス（電子メールアドレス）にもとづいて特定できるため、情報提供者に氏名や住所の登録を強要することなく、報奨金を支払う旨の通知を行うことができる。
【００１７】
また、上記目的を達成するため、本発明の情報提供処理装置は、通信回線を介して、情報提供処理を行う情報提供処理装置であって、カメラ付き携帯端末が送信した撮影画像データを受信するとともに、前記カメラ付き携帯端末の位置情報を取得し、さらに、前記撮影画像データを、過去に蓄積した撮影画像データと照合し、その照合結果に応じて、予め決められた処理を行う構成としてある。
【００１８】
また、上記目的を達成するため、本発明の情報提供処理方法は、通信回線を介して、情報提供処理を行う情報提供処理方法であって、カメラ付き携帯端末が、被疑者をカメラで撮影し、その撮影画像データと、前記カメラ付き携帯端末の位置情報を情報提供処理装置に送信し、前記情報提供処理装置が、前記カメラ付き携帯端末が送信した撮影画像データを受信し、この撮影画像データを、過去に蓄積した撮影画像データと照合し、その照合結果に応じて、予め決められた処理を行う方法としてある。
【００１９】
このように、本発明は、情報提供処理装置及び情報提供処理方法としても具現化することが可能で、これらの場合に置いても情報提供処理システムと同様の効果を奏する。
【００２０】
また、本発明の情報提供処理プログラムは、前記カメラ付き携帯端末から受信した撮影画像データにもとづいて被疑者が逮捕されたとき、報奨金支払通知が含まれるメッセージを前記カメラ付き携帯端末へ送信させる構成としてある。
情報提供処理プログラムをこのような構成にすれば、有力な情報の提供を更に促進することができる。
【００２１】
【発明の実施の形態】
以下、本発明の実施の形態について、図面を参照して説明する。図１は、情報提供処理システムの概略構成を示すブロック図である。
この図に示すように、情報提供処理システムは、情報提供者が所持するカメラ付き携帯端末１０と、情報提供を受け付ける情報提供処理装置２０と、これらを相互に接続する通信回線３０とから構成されている。
【００２２】
通信回線３０は、カメラ付き携帯端末１０などの携帯端末と無線通信を行う多数の基地局３１と、これらの基地局３１と有線通信又は無線通信を行う交換局３２と、この交換局３２と情報提供処理装置２０を接続するインターネット３３とを備えて構成されている。
【００２３】
カメラ付き携帯端末１０は、携帯電話の標準機能である音声通話機能の他に、電子メール機能、カメラ機能及びＧＰＳ機能を備えている。
電子メール機能は、文字データや画像データを、電子メールとして送受信する機能である。カメラ付き携帯端末１０には、固有の電子メールアドレスが付与されており、この電子メールアドレスをもとに、他の携帯端末や、情報提供処理装置２０などのインターネット端末との間で電子メールの送受信が行われる。
【００２４】
カメラ機能は、ＣＣＤなどのイメージセンサにより、人物（被疑者）などの画像を取り込み、これを撮影画像データとしてメモリに記憶する機能である。メモリに記憶された撮影画像データは、電子メール機能を用いるにより、添付ファイルとして、他の携帯端末や、情報提供処理装置２０などのインターネット端末に送信することができる。
【００２５】
ＧＰＳ機能は、複数のＧＰＳ衛星から電波を受信し、その伝播時間にもとづいて、自らの位置を特定する機能である。ＧＰＳ機能が特定した位置情報は、電子メール機能を用いることにより、他の携帯端末や、情報提供処理装置２０などのインターネット端末に送信することができる。
また、近年においては、他の端末からの要求に応じて、指定されたＧＰＳ携帯端末の位置情報を取得し、この位置情報を要求端末に送信するという位置情報サービスが提供されている。このような位置情報サービスを利用すれば、カメラ付き携帯端末１０側で位置情報の送信操作を行うことなく、情報提供処理装置２０にカメラ付き携帯端末１０の位置情報を送信することができる。
【００２６】
なお、本実施形態では、カメラ付き携帯端末１０の位置情報を、カメラ付き携帯端末１０のＧＰＳ機能を利用して情報提供処理装置２０に送信するが、ＧＰＳ機能を具備しないカメラ付き携帯端末１０においては、情報提供者が自らの位置（地名、番地など）を特定し、これを電子メール中に文字入力して情報提供処理装置２０に送信してもよい。
また、カメラ付き携帯端末１０がＰＨＳ携帯端末である場合は、使用している基地局３１の所在地にもとづいて、携帯端末の位置を特定するという既存の位置情報サービスを利用し、情報提供処理装置２０にカメラ付き携帯端末１０の位置情報を送信することができる。
【００２７】
情報提供処理装置２０は、情報提供処理を自らが行う警察署や、情報提供処理サービスをＡＳＰとして提供する機関、企業などに設置されるサーバ、ワークステーション、パーソナルコンピュータなどの情報処理機器であり、この情報処理機器に、情報提供処理プログラムやデータベースを導入して構成されている。
本実施形態では、情報提供処理装置２０が、警察署に設置されるとともに、ＬＡＮなどのネットワーク４０を介して、警察署内の端末５０に接続されるものとする。
【００２８】
次に、情報提供処理装置２０の機能的な構成について、図２を参照して説明する。図２は、情報提供処理装置の機能的な構成を示すブロック図である。
この図に示すように、情報提供処理装置２０は、機能的な構成として、情報提供受信部２１、画像照合部２２、一致度通知部２３、画像判定部２４、画像登録部２５、有力情報通知部２６、情報提供拒否部２７及び報償金支払通知部２８を備えている。
【００２９】
情報提供受信部２１は、カメラ付き携帯端末１０が電子メールとして送信した被疑者の撮影画像データや、カメラ付き携帯端末１０の位置情報を受信（解析）する部分であり、受信時には、カメラ付き携帯端末１０の電子メールアドレスも取得する。
本実施形態では、情報提供者の身元情報として、電子メールアドレスのみを取得するが、情報提供者に対して、身元情報（氏名、住所など）の事前登録を要求してもよい。
また、本実施形態では、電子メールの本文を解析しないが、電子メールの本文に、被疑者名、事件名などの入力を求め、これを解析するようにしてもよい。
【００３０】
画像照合部２２は、カメラ付き携帯端末１０から受信した被疑者の撮影画像データと、過去に蓄積した被疑者の撮影画像データとを照合する部分である。
ここで、過去に蓄積された被疑者の撮影画像データとは、警察側が事前にデータベースに登録した被疑者の撮影画像データや、過去にカメラ付き携帯端末１０から受信した被疑者の撮影画像データであり、これらの撮影画像データと、今回受信した撮影画像データとの照合が行われる。
【００３１】
本実施形態の画像照合部２２は、カメラ付き携帯端末１０から受信した被疑者の撮影画像データと、過去に蓄積した被疑者の撮影画像データとを照合する際に、撮影画像データ同士の一致度を算出する。この一致度は、例えば、顔の輪郭、顔を構成する目、鼻、口及び耳の形状・配置などの比較により、数値（％）として算出される。
【００３２】
一致度通知部２３は、被疑者の撮影画像データを送信したカメラ付き携帯端末１０に対して、その撮影画像データの一致度を通知する部分である。
このとき、本実施形態の一致度通知部２３は、「送信していただいたデータは、一致度○○％でした。ご協力ありがとうございました。」などの定形メッセージに、今回算出した一致度を挿入してカメラ付き携帯端末１０に送信する。
【００３３】
画像判定部２４は、算出した一致度に応じて、予め決められた処理を実行する部分である。
本実施形態では、画像登録部２５、有力情報通知部２６、情報提供拒否部２７などを一致度に応じて選択的に実行する。
なお、画像判定部２４の判定基準は、任意に変更できるようにすることが望ましい。
【００３４】
画像登録部２５は、カメラ付き携帯端末１０から受信した被疑者の撮影画像データをデータベースに登録する部分である。
この登録処理は、カメラ付き携帯端末１０から受信した被疑者の撮影画像データと、過去に蓄積した被疑者の撮影画像データとの一致度が高い場合にのみ実行される。これにより、一致度が低い撮影画像データを破棄することが可能になる。
【００３５】
有力情報通知部２６は、警察所内の端末５０に対して有力情報を通知する部分である。
この通知処理は、この登録処理は、カメラ付き携帯端末１０から受信した被疑者の撮影画像データと、過去に蓄積した被疑者の撮影画像データとの一致度が高い場合にのみ実行される。これにより、有力情報がノイズ的な情報に埋もれる不都合を回避することができる。
【００３６】
情報提供拒否部２７は、ノイズ的な情報提供を繰り返すカメラ付き携帯端末１０を特定し、このカメラ付き携帯端末１０からの情報提供を拒否する部分である。
この処理は、一致度のきわめて低い撮影画像データを、同じカメラ付き携帯端末１０から所定回数受信したとき実行され、それ以降、このカメラ付き携帯端末１０による情報提供が拒否される。これにより、いたずらによるノイズ的な情報提供を排除し、有力な情報提供を優先的に処理することが可能になる。
【００３７】
報償金支払通知部２８は、カメラ付き携帯端末１０から受信した撮影画像データにもとづいて被疑者が逮捕されたとき、このカメラ付き携帯端末１０に対して、報奨金支払通知が含まれるメッセージを送信する部分である。
この通知処理は、警察所内の端末５０から被疑者逮捕通知を受信したとき実行される。被疑者逮捕通知には、被疑者逮捕に貢献した情報提供者を特定するための情報（画像識別コードなど）が含まれており、これをもとに情報提供者の電子メールアドレスを特定し、報奨金支払通知が送信される。
カメラ付き携帯端末１０に送信する通知は、例えば「報奨金をお渡し致します。○○警察署までお越し下さい。」などの定形メッセージであり、これを受信した情報提供者は、指定された警察署で報奨金を受け取る。
【００３８】
次に、情報提供処理システムの動作について、図３及び図４を参照して説明する。図３は、情報提供処理（人為的な行動を含む）の流れを示す図、図４は、情報提供処理システムの動作を示す動作手順図である。
【００３９】
警察側は、例えば指名手配中の被疑者に関する情報提供を呼びかける場合、被疑者の撮影画像データを情報提供処理装置２０のデータベースに登録する。（図３のＳ１、図４のＳ１）
【００４０】
また、警察側は、被疑者の顔写真や特徴を示すポスターを作成し、警察署、交番、駅などに掲示する。（図３のＳ２）
このポスターでは、カメラ付き携帯端末１０で撮影した被疑者の撮影画像データを、所定の電子メールアドレスで受け付けることが明示されるとともに、提供された撮影画像データにもとづいて被疑者が逮捕された場合、情報提供者に所定の報奨金が支払われる旨の告知が行われる。
【００４１】
ポスターを見たカメラ付き携帯端末１０の所有者（情報提供者）が、街中で怪しいと思われる人物を発見した場合、カメラ付き携帯端末１０のカメラ機能を利用し、その人物を撮影する。（図３のＳ３、図４のＳ２）
その後、情報提供者は、被疑者の撮影データ及び現在の位置情報を、カメラ付き携帯端末１０の電子メール機能を利用して情報提供処理装置２０へ送信する。（図３のＳ４、図４のＳ３）
【００４２】
情報提供処理装置２０は、カメラ付き携帯端末１０が送信した被疑者の撮影データ及び位置情報を受信する。（図３のＳ５、図４のＳ４）
つぎに、情報提供処理装置２０は、受信した被疑者の撮影画像データと、過去に蓄積された撮影画像データとの照合を行い、ここで一致度を算出する。（図３のＳ６、図４のＳ５）
【００４３】
情報提供処理装置２０は、算出した一致度が含まれるメッセージをカメラ付き携帯端末１０に電子メールとして送信し（図３のＳ７、図４のＳ６）、この電子メールがカメラ付き携帯端末１０の電子メール機能によって受信される。（図３のＳ８、図４のＳ７）
【００４４】
つぎに、情報提供処理装置２０は、算出した一致度を判定し、これが高い場合は、撮影画像データを有力情報としてデータベースに登録するともに（図３のＳ９、図４のＳ８）、警察所内の端末５０に有力情報通知を行う。（図３のＳ１０、図４のＳ９）
端末５０が有力情報通知を受信すると（図３のＳ１１、図４のＳ１０）、ここに含まれる撮影画像データ及び位置情報をもとに、被疑者逮捕に向けた捜査が開始される。（図３のＳ１２）
【００４５】
一方、一致度が低い撮影画像データは、データベースに登録せずに破棄される。また、一致度のきわめて低い撮影画像データが同じカメラ付き携帯端末１０から受信した場合は、いたずらによる情報提供であると判断し、以降の情報提供を拒否する。（図３のＳ１３、図４のＳ１１）
【００４６】
また、カメラ付き携帯端末１０から受信した撮影画像データにもとづいて被疑者が逮捕された場合は、警察所内の端末５０から情報提供処理装置２０に被疑者逮捕通知が送信される。（図３のＳ１４、図４のＳ１２）
情報提供処理装置２０が被疑者逮捕通知を受信すると、報奨金支払通知が含まれるメッセージを前記カメラ付き携帯端末１０に送信する。（図３のＳ１５、図４のＳ１３）
カメラ付き携帯端末１０がこのメッセージを受信すると（図３のＳ１６、図４のＳ１４）、情報提供者は、指定された警察署へ行き、報奨金の受け取り手続を行う。（図３のＳ１７）
【００４７】
なお、犯人逮捕につながった映像データの通報者のアドレスに対して、報奨金を支払う旨のメールを送信する際、受け取りに応じる場合は有効期限付で、住所、氏名、電話番号、受け取り警察署、必要に応じてアンケートを返信してもらうように促す。そして、報奨金の受け取りに応じるメール返信を受け付けた場合は、再度、「受付番号」、「本メールを保存し受領時に最寄警察署で必ず見せること。」、「身分証明書を持参すること。」などの注意書きが入ったメールを送信する。後日、本人が報奨金を受け取りに来た場合、メールで返信された住所、氏名と、身分証明書の内容が正しいことを確認のうえ、報奨金を支払う。このようなフローにすることで、犯人情報収集時は匿名性を有効活用して多くの情報を収集し、報奨金支払い時には本人認証をすることが可能となる。犯人逮捕につながった映像が複数存在（複数の通報者が存在）するときは、一番有効な手がかりとなった映像一つに絞って報奨金を支払うか、報奨金を分配するか、捜査課にて決定することができる。その場合は、複数の方からの通報があった旨を伝えることで、他の人も捜査に参加している意識を与えることができる。
以上で情報提供処理の一サイクルが終わる。
【００４８】
上記のように構成された情報提供処理システムによれば、情報提供者は、カメラ付き携帯端末１０で被疑者を撮影し、その撮影画像データを電子メールに添付して送信する程度の簡単な手続により、被疑者に関する情報を警察などに提供することが可能になる。
一方、情報提供を受け付ける側では、情報提供者が送信した被疑者の撮影画像データを自動的に受信できるとともに、過去に蓄積した撮影画像データとの照合結果に応じて、撮影画像データを選別するなど、予め決められた処理を自動的に実行することが可能になる。
【００４９】
これにより、被疑者に関する情報提供を促進しつつ、情報提供の増加に伴う処理の煩雑化を回避することが可能になり、その結果、有力情報の入手を容易にし、被疑者の早期逮捕に貢献することができる。
しかも、被疑者の撮影画像データが情報提供されるので、音声や文字による情報提供に比べ、情報の真偽判定が容易になるとともに、被疑者の現在の髪型、服装などを認識した上で捜査を行うことができる。
【００５０】
また、情報提供処理装置２０は、カメラ付き携帯端末１０から撮影画像データを受信するとき、カメラ付き携帯端末１０の位置情報も取得するので、被疑者の撮影画像データ及び位置情報をもとに、被疑者逮捕に向けた捜査を直ちに開始することができる。
また、情報提供に用いる携帯端末がＧＰＳ付き携帯端末やＰＨＳ携帯端末である場合は、既存の位置情報サービスを利用して携帯端末の位置情報を自動的に取得することができ、この場合には、情報提供者による位置情報の入力を不要にし、情報提供の手続を更に簡略化することができる。
【００５１】
また、情報提供処理装置２０は、カメラ付き携帯端末１０から受信した撮影画像データを、過去に蓄積した撮影画像データと照合する際に、前記撮影画像データ同士の一致度を算出するので、情報提供された撮影画像データの有効性を数値化し、撮影画像データの真偽判定や選別処理を簡略化することができる。
【００５２】
また、情報提供処理装置２０は、カメラ付き携帯端末１０から受信した撮影画像データと、過去に蓄積した撮影画像データとの一致度が高いと判定したとき、カメラ付き携帯端末１０から受信した撮影画像データを保存する一方、一致度が低いと判定したとき、カメラ付き携帯端末１０から受信した撮影画像データを破棄するので、いたずらによるノイズ的な情報や価値の低い情報を自動的に破棄することができる。
これにより、情報提供処理装置２０の記憶容量を効率的に利用できるとともに、有力な情報がノイズ情報に埋もれてしまう不都合も回避することができる。
【００５３】
また、情報提供処理装置２０は、一致度のきわめて低い撮影画像データを、同じカメラ付き携帯端末１０から所定回数受信したとき、それ以降、このカメラ付き携帯端末１０による情報提供を拒否するので、いたずらによるノイズ的な情報提供を排除し、有力な情報提供を優先的に処理することができる。
【００５４】
また、情報提供処理装置２０は、カメラ付き携帯端末１０から受信した撮影画像データと、過去に蓄積した撮影画像データとの一致度を算出した後、この一致度が含まれるメッセージをカメラ付き携帯端末１０に送信するので、情報提供者が、通知された一致度にもとづいて、捜査への貢献度を知ることができるばかりでなく、通知された一致度に応じて、適切な行動をとることができる。
【００５５】
また、情報提供処理装置２０は、カメラ付き携帯端末１０から受信した撮影画像データにもとづいて被疑者が逮捕されたとき、報奨金支払通知が含まれるメッセージをカメラ付き携帯端末１０に送信するので、有力な情報提供に対して報奨金が支払われる旨の告知を予め行うことにより、情報提供を更に促進することができる。
また、上記メッセージの送信先は、撮影画像データを受信した際の送信者アドレス（電子メールアドレス）にもとづいて特定できるため、情報提供者に氏名や住所の登録を強要することなく、報奨金を支払う旨の通知を行うことができる。
【００５６】
【発明の効果】
以上のように、本発明によれば、情報提供者は、カメラ付き携帯電話で被疑者を撮影し、その撮影画像データを電子メールに添付して送信する程度の簡単な手続により、被疑者に関する情報を警察などに提供することが可能になる。
一方、情報提供を受け付ける側では、情報提供者が送信した被疑者の撮影画像データを自動的に受信できるとともに、過去に蓄積した撮影画像データとの照合結果に応じて、撮影画像データを選別するなど、予め決められた処理を自動的に実行することが可能になる。
これにより、被疑者に関する情報提供を促進しつつ、情報提供の増加に伴う処理の煩雑化を回避することが可能になり、その結果、有力情報の入手を容易にし、被疑者の早期逮捕に貢献することができる。
【図面の簡単な説明】
【図１】情報提供処理システムの概略構成を示すブロック図である。
【図２】情報提供処理装置の機能的な構成を示すブロック図である。
【図３】情報提供処理（人為的な行動を含む）の流れを示す図である。
【図４】情報提供処理システムの動作を示す動作手順図である。
【符号の説明】
１０　カメラ付き携帯端末
２０　情報提供処理装置
２１　情報提供受信部
２２　画像照合部
２３　一致度通知部
２４　画像判定部
２５　画像登録部
２６　有力情報通知部
２７　情報提供拒否部
２８　報償金支払通知部
３０　通信回線
３１　基地局
３２　交換局
３３　インターネット
４０　ネットワーク
５０　端末
【図１】
2004078769.tif 000003
【図２】
2004078769.tif 000004
【図３】
2004078769.tif 000005
【図４】
2004078769.tif 000006